(57)【特許請求の範囲】
【請求項１】
少なくとも２つのデータ通信端末間で双方向に無線データ通信を行うデータ通信システムにおいて、
前記データ通信端末は、
回答を要求するメッセージと、このメッセージの削除を禁止する情報とを対応付けて記憶する記憶手段と、
送信先のデータ通信端末へ前記記憶手段に記憶された回答を要求するメッセージを送信する送信手段と、
データを受信すると、該受信されたデ−タが前記記憶手段に記憶された回答を要求するメッセージに対しての回答メッセージかを判定する判定手段と、
この判定手段により回答メッセージであると判定した場合、前記記憶手段に記憶されている前記回答を要求するメッセージの削除要求がなされ、削除要求の回答要求メッセ−ジに対応する削除を禁止する情報に応じて削除禁止状態を示す表示を行ない、再び削除要求がなされると、該削除を禁止する情報を削除を可能にする情報に変更する変更手段と、
を有したことを特徴とするデータ通信システム。
【請求項２】
前記判定手段は、
メッセージの送信元名、送信先名と識別情報とを対応付けて記憶する通信管理手段と、
前記通信管理手段に記憶されている送信先名に対応する識別情報の中に、受信されたデータに含まれる送信元名に対応する識別情報があるか否かを照合する照合手段と、
を有することを特徴とする請求項１に記載のデータ通信システム。
【請求項３】
データを受信すると、一定時間だけ報知し、報知中に強制停止可能な報知手段と、
前記判定手段により回答メッセージであると判定し、且つ、前記一定時間内に前記報知手段が強制停止された場合、前記記憶手段で前記回答を要求するメッセージと対応付けて記憶されていた削除を禁止する情報を削除を可能とする情報に変更する強制変更手段と、
を、更に、有することを特徴とする請求項１に記載のデータ通信システム。
【発明の詳細な説明】
【０００１】
【発明の属する技術分野】
本発明は、複数のデータ通信端末間でデータを送受信するデ−タ通信システムに関する。
【０００２】
【従来の技術】
今日ページングシステムに代表される通信システムは、ページャー等のデータ受信端末と、データ通信を行うサービス網と、このサービス網に接続され無線信号により特定のデータ受信端末を呼び出し、メッセージデータの送信を行う中央制御局（以下にセンターと称する）とを備えて、センター及びサービス網を介して双方向にデータ通信を行うようにしている。
【０００３】
又、近年では、このデータ受信端末に端末本体で作成したメッセージをダイアル音（もしくは信号）に変換して、最寄りの公衆電話を介してセンターへデータ送信するデータ送信機能を備えたものもあり、簡易なものでありながらも、データ通信端末として機能するものである。
【０００４】
このような無線信号によるデータ通信システムを用いたデータ通信方法では、例えば送信側のデータ通信端末から受信側のデータ通信端末に対して回答を要求するメッセージ（以下に回答要求メッセージと称する）を送信した場合、このデータの送信後に送信側データ通信端末のオペレータによって回答要求メッセージを自由に操作（削除、編集等）することが可能である。
【０００５】
【発明が解決しようとする課題】
しかしながら、上述のような機能は、受信側のデータ通信端末からの回答メッセージが未着信であっても、送信側オペレータの操作により回答対象となる回答要求メッセージを削除したり変更してしまう恐れがあった。このように、回答要求メッセージを削除したり変更してしまった場合には、送信側のデータ通信端末で回答メッセージを着信しても、その回答メッセージに対応した回答要求メッセージを喪失して回答要求と回答との関連付けがとれないので、回答要求メッセージの送受信が無駄となって、双方向によるデータ通信の利用価値を低下させてしまうという問題点があった。
【０００６】
本発明の課題は、上述した問題点に鑑みてなされ、回答要求メッセージデータと回答メッセージデータとの対応がとれるようにデータ保護を強化して、双方向によるデータ通信の利用価値を向上させることが可能なデータ通信システムを提供することである。
【０００７】
【課題を解決するための手段】
本発明のデータ通信システムは、少なくとも２つのデータ通信端末間で双方向に無線データ通信を行うデータ通信システムにおいて、前記データ通信端末は、回答を要求するメッセージと、このメッセージの削除を禁止する情報とを対応付けて記憶する記憶手段と、送信先のデータ通信端末へ前記記憶手段に記憶された回答を要求するメッセージを送信する送信手段と、データを受信すると、該受信されたデ−タが前記記憶手段に記憶された回答を要求するメッセージと対しての回答メッセージかを判定する判定手段と、この判定手段により回答メッセージであると判定した場合、前記記憶手段に記憶されている前記回答を要求するメッセージの削除要求がなされ、削除要求の回答要求メッセ−ジに対応する削除を禁止する情報に応じて削除禁止状態を示す表示を行ない、再び削除要求がなされると、該削除を禁止する情報を削除を可能にする情報に変更する変更手段と、を有したことを特徴とする。
また、上述した本発明に係わるデータ通信システムにおいて、前記判定手段は、メッセージの送信元名、送信先名と識別情報とを対応付けて記憶する通信管理手段と、前記通信管理手段に記憶されている送信先名に対応する識別情報の中に、受信されたデータに含まれる送信元名に対応する識別情報があるか否かを照合する照合手段と、を有しても良い。
更に、上述した本発明に係わるデータ通信システムにおいて、データを受信すると、一定時間だけ報知し、報知中に強制停止可能な報知手段と、前記判定手段により回答メッセージであると判定し、且つ、前記一定時間内に前記報知手段が強制停止された場合、前記記憶手段で前記回答を要求するメッセージと対応付けて記憶されていた削除を禁止する情報を削除を可能とする情報に変更する強制変更手段と、を更に有しても良い。
【００２５】
【発明の実施の形態】
以下に添付図面を参照して、本発明に係る好適な実施の形態を詳細に説明する。
【００２６】
（第１の実施の形態）
図１は、本発明に係るデータ通信システムの一実施の形態を示す構成図である。このデータ通信システム１００は、例えば、無線により双方向にデータ通信が可能なデータ無線機能を備えるページャー１…（例えば、ページャー１Ａ，１Ｂ）、公衆回線網２、センター３と、送信基地局４、受信基地局５…、及び公衆回線網２に接続されたプッシュフォン式電話やモデム付きコンピュータ等の端末６…より構成されている。なお、公衆回線網２、送信基地局４、受信基地局５、及び公衆電話６…は、サービス網を構築している。
【００２７】
各ページャ１…は、無線により、ダイレクトに送信できる送信機能を具備しており、詳細は後述の図２及び図３に示されている。公衆回線網２は、そのリング上に受信基地局５…を接続し、且つそのリングにセンター３及び送信基地局４を接続している。センター３は、当該データ通信システムの中央制御局であり、公衆回線網２に接続された公衆電話６やデータ通信システム１００のセル内のページャー１（例えば、ページャー１Ａ）よりデータ送信依頼があると、呼び出し先のページャー１（例えば、ページャー１Ｂ）を送信基地局４より無線にて呼び出し、データをページャー１Ｂへ送信する機能を有している。
【００２８】
送信基地局４は、センター３から送られてきたデータをページャー１に無線送信する。受信基地局５は、ページャー１から受信した無線による発信データ（自己の呼出番号、データ送信先の呼出番号、及びメッセージデータ等の情報データ）をダイアルデータに変換し、センター３に送信する。
【００２９】
このデータ通信システム１００は、例えば、ページャー１Ａから１Ｂに対してメッセージ送信を行う際に、このメッセージに対する回答要求を指示し、この回答要求指示に対してページャー１Ｂは１Ａに回答メッセージをデータ送信するものである。
【００３０】
次に、ページャーについて詳述する。図２はページャー１の外観形状の一例を示す上面図であり、図３はページャー１の内部構成の一例を示すブロック図である。図２（Ａ）に示されたページャー１上面には操作面１ａが設けられている。この操作面１ａにおいて、上段には、例えばＬＣＤ（液晶表示素子）によるＬＣＤ表示部１２が設けられ、下段には、タッチスクリーン方式によりデータ入力が可能なキーボード配列を液晶表示させる液晶キーボード１３１、右側面には、送受信メッセージ読み出し（以下にＲＴＭＲと称する）モードキー１３２、送信（以下にＴＭと称する）モードキー１３３、及びカーソルキー１３４が設けられ、ページャー１本体の右側面には、スライドすることにより電源投入、押圧することにより文字入力の際のリターンキーとなる電源スイッチ１３５が設けられている。
【００３１】
入力ペン１３６は、キーボード１３１をタップ押圧する入力機器であり、液晶キーボード１３１の所望のキャラクターをタップして文字やキー配列変換を入力指示するものである。１３１１，１３１２，１３１３は、液晶キーボード１３１に表示される文字入力モードを指定する液晶キーであり、「ｃ」の選択で大文字入力モード、「Ｎ」で数入力モード、「ａ」で小文字入力モードを指定する。したがって、入力ペン１３６を用いて液晶キー１３１２をタップすると、図２（Ａ）の如く液晶キーボード１３１は数字入力モードに変化し、液晶キー１３１１をタップすると、図２（Ｂ）の如く液晶キーボード１３１は１３１’のように大文字入力モードに変化する。又、この液晶キーボード１３１’（図２（Ｂ））の状態で、１３１４で示した“カナ”キーがタップされると、入力したアルファベットデータをカナ変換する。さらに、操作面１ａの上端には、発光ダイオード（以下にＬＥＤと称する）１４が配設されている。
【００３２】
以上の構成において、ＲＴＭＲモードキー１３２は、データメモリＲＴＤに格納されている送受信メッセージデータを読み出す際に操作するためのキーであり、ＴＭモードキー１３３は、送信データメモリＴＤに格納されている送信メッセージデータを読み出して送信するためのキーである。カーソルキー１３４は、ＬＣＤディスプレイ１２の表示画面上のカーソル位置を移動させる際に操作するためのキーである。なお、液晶キーボード１３１、ＲＴＭＲモードキー１３２、ＴＭモードキー１３３、及びカーソルキー１３４は、キー入力部１３を構成している。
【００３３】
そして、ＬＣＤディスプレイ１２は、各キー操作に応じて文字や図形等の画像を表示すると共に、カーソルキー１３４の操作に応じて移動させるカーソルを表示する機能を有している。ＬＥＤ１４は、メッセージ等の着信を点灯（又は点滅）させて報知する機能を有している。
【００３４】
また、ページャー１は、その内部に、例えば、アンテナ１５、送受信切換スイッチ１６、ＲＦ受信部１７、ＩＤ−ＲＯＭ１９、デコーダ部１８、制御部２０、エンコーダ部２１、送信部２２、ＲＯＭ２３、検出部２４、ＲＡＭ２５、及び表示バッファ２６より構成されている。
【００３５】
アンテナ１５は、送信基地局４からページャー１へ無線送信される変調波（アドレスデータ、メッセージデータ等）を受信すると共に、受信基地局５に対して変調波（自己の呼出番号データ、データ送信先の呼出番号データ、及びメッセージデータ）を変調して無線送信する送受信装置であり、送受信切換スイッチ１６に接続される。送受信切換スイッチ１６は、制御部２０の制御に従って送受信を切り換える回路であり、ＲＦ受信部１７と送信部２２とに接続される。
【００３６】
ＲＦ受信部１７は、デコーダ部１８の制御に従って、フレームデータで自己に設定されたデータを受信できる様、周期的に送信される自己フレームの送信タイミングに従って間欠駆動し、アンテナ１５に受信された信号を検波、復調して、デジタルデータに復元し、このデジタルデータをデコーダ部１８に出力する機能を有している。ＩＤ−ＲＯＭ１９は、ページャー１に設定されたアドレスデータ及び間欠受信タイミングを示すフレームＮｏ．データ等のＩＤ情報を登録するメモリである。デコーダ部１８は、ＲＦ受信部１７でデジタルデータに復号されたアドレスデータと、ＩＤ−ＲＯＭ１９に登録されたアドレスデータとを照合して、一致の際には、制御部２０に一致信号を出力して、その受信動作をＲＦ受信部１７に対して継続させるように制御する機能を有している。
【００３７】
ＲＯＭ２３は、制御部２０を動作させるための各種プログラムを格納していると共に、キャラクタコードに基づいてキャラクタイメージ（ドットデータ）を生成するためのキャラクタジェネレータＲＯＭ部を具備している。ＲＡＭ２５は、制御部２０が動作する際のワークエリア、後述のデータバンクメモリＤＢ、及び後述のデータメモリＲＴＤ（受信データメモリＲＤ、送信データメモリＴＤ）等を格納するメモリエリアを有している。
【００３８】
ここで、ＲＡＭ２５について詳述する。図４はＲＡＭ４の主要なメモリ構成を示す図、図５、図６、図７はそれぞれＲＡＭ４に割り当てられたデータバンクメモリＤＢ、送信データメモリＴＤ、受信データメモリＲＤのメモリ構成を示す図である。
【００３９】
データバンクメモリＤＢは、図５に示した如く、ＩＤ  Ｎｏ．を格納するエリア５１と、ＬＣＤディスプレイに表示される名前データを格納したエリア５２と、実際に無線送信される呼出番号データを格納したエリア５３とに区分され、ＩＤ  Ｎｏ．に対応させて名前データと呼出番号データとを格納している。例えば、ＩＤ  Ｎｏ．１（エリア５１）には“Ａ．Ａ”（エリア５２）という名前データが対応しており、その呼出番号は“＃１（ダイアルデータ）”（エリア５３）となる。
【００４０】
送信データメモリＴＤは、図６に示した如く、記憶管理のためのアドレスＮｏ．データを格納するエリア６１と、送信すべき、もしくは送信されたメッセージデータを格納するエリア６２と、このメッセージの送信先の呼出番号データに対応するＩＤ  Ｎｏ．を格納するエリア６３と、このメッセージデータが回答要求を指定するか否かをオン／オフでセットする回答要求フラグのエリア６４とに区分され、アドレスＮｏ．データに対応させてメッセージデータとＩＤ  Ｎｏ．とを格納し、このメッセージデータが回答要求メッセージデータならば回答要求フラグをセットする。この回答要求フラグはオン“１”状態のときに対応する一度送信された回答要求メッセージデータを削除禁止にするものである。
【００４１】
ＴＭＳＧ１，２，３…はそれぞれアドレスＮｏ．１，２，３…に対応して格納されたメッセージデータそのそものである。例えば、アドレスＮｏ．１で格納管理されＴＭＳＧ１に格納されるメッセージデータは回答要求フラグが“１”にセットされていることから回答要求メッセージデータであると共に、削除禁止になっている。しかしながらアドレスＮｏ．２及びＮｏ．３のメッセージデータＴＭＳＧ２，３はいずれも回答要求フラグが“０”にセットされていることから回答要求のないメッセージデータである。又、この回答要求フラグ（エリア６４）は、送信するメッセージデータに自己の名前データが含まれている場合にオンすることが可能になるものである。
【００４２】
着信データメモリＲＤは、図７に示した如く、記憶管理のためのアドレスＮｏ．データを格納するエリア７１と、着信したメッセージデータを格納するエリア７２と、当該メッセージデータを送信した送信元ページャーのＩＤ  Ｎｏ．を格納するエリア７３と、予め送信した回答要求メッセージデータに対する回答メッセージデータの着信か、又は通常メッセージデータの着信かを判断してセットされる回答フラグのエリア７４とに区分され、アドレスＮｏ．データに対応させて着信メッセージデータと送信元ＩＤ  Ｎｏ．とを格納し、且つこの着信したメッセージデータが回答メッセージであれば回答フラグをセットする。この回答フラグがオン“１”にセットされた場合には、送信メッセージメモリＴＤ内で、この受信された回答メッセージに含まれる名前データがサーチされ、更にこの名前データと対応するＩＤＮｏ．をデータバンクＤＢより読み出し、過去に送信した回答要求メッセージデータの送信先ＩＤＮｏ．と一致すれば、その送信結果回答要求フラグがオン“１”からオフ“０”にリセットされる。これによって、そのＩＤ  Ｎｏ．に対応する送信済メッセージ（回答要求メッセージ）データは削除禁止状態から解かれ、削除可能になる。
【００４３】
ＲＭＳＧ１，２，３…はそれぞれアドレスＮｏ．１，２，３…に対応した着信メッセージデータそのものである。例えば、アドレスＮｏ．１に対応したメッセージデータＲＭＳＧ１は回答フラグ“１”にセットされていることから送信データメモリＴＤに格納された回答要求メッセージデータに対応する回答メッセージデータである。又、アドレスＮｏ．２及びＮｏ．３のそれぞれに対応したメッセージデータＲＭＳＧ２，３はいずれも回答フラグ“０”にセットされていることから回答メッセージデータではなく通常メッセージデータであることを示している。この回答フラグ（エリア７４）は、着信したメッセージデータ中に送信元の名前データが含まれている場合にオンにセットされるものである。
【００４４】
制御部２０は、ページャー１全体の動作を後述のＲＯＭ２３に格納された各種プログラムに従って制御する回路であり、例えば、メッセージデータ送受信にかかる送受信切換スイッチ１６の切換制御、キー入力部１３の操作で入力される指示（キー信号）に応じたＬＣＤ表示部１２の画面表示制御、アドレスデータやメッセージデータ等の着信時のＬＥＤ１４の点灯（又は点滅）制御、ＲＡＭ２５のメモリアクセス制御、着信処理における受信データの誤り訂正等の処理を実行する。
【００４５】
また、制御部２０には、デコーダ部１８の出力に接続された受信バッファ２０１と、エンコーダ部２１の入力に接続された送信バッファ２０２と、フラグ設定回路２０３とが設けられており、タイマを内蔵している。受信バッファ２０１は、デコーダ部１８によってデコードされたメッセージデータを一時的に格納するメモリである。送信バッファ２０２は、エンコーダ部２１に出力する送信データを一時的に格納するメモリである。そして、検出部２４は、送信データメモリＴＤのエリア６２に格納された送信データ又は受信データメモリＲＤのエリア７２に格納された受信データから名前データを検出して、フラグ設定回路２０３に通知するものである。このフラグ設定回路２０３は、検出部２４から自己に設定されたＩＤ  Ｎｏ．を検出した旨の信号が通知されたときに、これが送信データであれば送信データメモリＴＤの回答要求フラグ（エリア６４）をオンにセットし、また、同検出部２４から回答要求メッセージデータと対応づけてセットされたＩＤＮｏ．に対応する名前データと同じ名前データを検出した旨か通知されたとき、これが受信データであれば受信データメモリＲＤの回答フラグ（エリア７４）をオンにセットする。
【００４６】
エンコーダ部２１は、制御部２０から受け取った送信データを周波数変調によってコード化し、そのコード化された送信データを送信部２２に出力する機能を有している。送信部２２は、エンコーダ部２１から受け取った送信データを増幅して送受信切換スイッチ１６を介してアンテナ１５に出力する機能を有している。
【００４７】
次に、データ通信システム１００の動作について説明する。
【００４８】
送信処理では、予め作成されたメッセージを例えばページャー１Ａからページャー１Ｂに対して回答要求メッセージデータを送信する例を挙げ、着信処理では、この送信された回答要求メッセージに対応して、ページャー１Ｂからページャー１Ａへ回答メッセージデータの受信があった場合を例に挙げて説明する。さらに、メッセージ読み出し処理では、上記ページャー１Ｂからページャー１Ａに送信された回答メッセージデータの表示、及びこの回答メッセージデータに対応する回答要求メッセージデータの削除を例に挙げて説明する。図８はページャー１Ａの送信処理を説明するフローチャートであり、図９及び図１０は図８に示したフローに従う送信処理時の表示例を示す図である。図１１はページャー１Ａの着信処理を説明するフローチャートであり、図１２及び図１３は図１１に示したフローに従う着信処理時の表示例を示す図である。図１４はページャー１Ａ側のメッセージデータ読み出し及び削除処理を説明するフローチャートであり、図１５から図１７は図１４に示したフローに従うメッセージのメッセージデータの読み出し及び削除処理時の表示例を示す図である。
【００４９】
送信処理の具体例として、ページャー１Ａ（所有者Ａ．Ａ）からページャー１Ｂ（所有者Ｂ．Ｂ）に対して、
“今夜７時以降、時間を取りたい。Ａ．Ａ”
という予めキーボード１３１を操作することにより作成され送信データメモリＴＤに格納された回答要求メッセージデータを送信するものとする。（なお、回答要求フラグ（エリア６４）は後述の送信モード時にセットされる。）この回答要求メッセージデータは、例えば図６に示した送信データメモリＴＤにおいては、アドレスＮｏ．１に対応するメモリエリアに送信先ＩＤ  Ｎｏ．（２）と対応して格納されている。この回答要求メッセージデータには、当該データの送信元を示す名前データ“Ａ．Ａ（表示内容）”が含まれている。この名前データ“Ａ．Ａ”は、送信先ページャー１Ｂが所持するデータバンクメモリＤＢに図５に示した如くＩＤ  Ｎｏ．と対応させて予め登録されており、送信及び受信データ内の名前データを検索してＩＤ  Ｎｏ．を識別することができる。
【００５０】
ページャー１Ａにおいて、制御部２０は、キー入力部１３の送信モードキー１３３が押下されて送信モードが選択されたことを検知すると、処理を送信モードに移行させる（ステップＳ１）。これに対し、読み出しモードキー１３２の押下によって読み出しモードが選択された場合には（ステップＳ１１）、処理はステップＳ１２に移行して、後述の図１４に示したフローチャートに従う読み出しモードに入る。なお、受信モードについては、図示せぬが自己フレームＮｏ．の受信より呼出信号の着信を検出しているので、その着信があった場合には、後述の図１１に示したフローチャートに従う着信処理が実行される。
【００５１】
送信モードでは、まず、送信データメモリＴＤ、及び受信データメモリＲＤに格納されたメッセージデータに基づくメッセージがＬＣＤ表示部１２に図９に示した如く表示される。所有者Ａ．Ａはカーソルキー１３４の上下を示す矢印部分を操作して、ＬＣＤ表示部１２に表示されたこれらメッセージ上でカーソルを移動させ、その内、所望のメッセージの位置でカーソルキー１３４の右を示す矢印部分を操作（押下）して選択する。なお、図８のフローチャートでは省略しているが、選択したメッセージをキャンセルする場合には、カーソルキー１３４の左を示す矢印部分を操作（押下）する。制御部２０は、カーソルキー１３４の操作から各矢印部分を操作する信号を検出してＬＣＤ表示部１２にカーソルを移動表示させたり画面を切り換えると共に、カーソルキー１３４の右を示す矢印部分の操作（押下）を検出してその選択位置にあるメッセージをａで示す如く反転表示させこれを送信メッセージとして認識する。この後、図１０に示した如く、ＬＣＤ表示部１２には、ステップＳ３で選択された送信メッセージ（ａ’で示す）が表示される（ステップＳ２及びＳ３）。
【００５２】
次に、この選択された送信メッセージに対応する送信メッセージデータを格納しているアドレスＮｏ．に対応した回答要求フラグ（エリア６４）のフラグ状態が判定される（ステップＳ４）。例えば、送信メッセージデータＴＭＳＧ１が選択された場合には、その送信メッセージデータＴＭＳＧ１を格納しているアドレスＮｏ．１に対応する回答要求フラグのフラグ状態が判定される。送信データメモリＴＤにおいて、送信メッセージデータＴＭＳＧ１に対応する回答要求フラグ（エリア６４）は既に“１”にセットされていることから、処理はステップＳ７に移行する。また、このステップＳ４において、例えば、送信メッセージデータＴＭＳＧ２やＴＭＳＧ３のように回答要求フラグがリセット（“０”）状態の場合には、処理がステップＳ５に移行して、自己の名前データの存在がチェックされる。自己の名前データが存在していれば、送信データは回答要求メッセージデータであると判断され、回答要求フラグが“１”にセットされる（ステップＳ６）。この回答要求フラグが“１”にセットされた場合には、以降“０”にリセットされるまで回答要求メッセージデータは削除禁止として扱われる。つまり、一度送信している回答要求メッセージデータについては、回答メッセージデータを着信するまで送信メッセージデータＴＭＳＧ１の如く対応する回答要求フラグは“１”にセットされていることになる。
【００５３】
次のステップＳ７においては、送信先の情報（名前、呼出番号）が液晶キーボード１３１（又は１３１’）のキー入力操作で指定される。このキー入力操作では、入力ペン１３６が使用される。所有者Ａ．Ａは、液晶キー１３１１〜１３１３でキーボードの配列を換えながら、例えば、“＊４＊４２”とキー入力する。制御部２０は、このキー入力“＊４＊４２”に従ってデータメモリバンクＤＢからＩＤ  Ｎｏ．２に対応した名前データ“Ｂ．Ｂ”及び呼出番号データ“＃２”を読み出し、これらのデータに基づいてＬＣＤ表示部１２上、図１０にｂで示した如く、
“Ｂ．Ｂ／ＩＤ  Ｎｏ．２”
の文字を表示させる。ここで、“Ｂ．Ｂ”は送信先のオペレーターの名前、“ＩＤ  Ｎｏ．２”は送信先のＩＤ  Ｎｏ．をそれぞれ示している。
【００５４】
このように、ステップＳ７において送信先を指定した後には、その指定した名前データ及び呼出番号データ“＃２”、ならびに回答要求メッセージデータが送信バッファ２０２に格納される（ステップＳ８）。
【００５５】
また、前述のステップＳ３では、送信メッセージの選択に伴って、送信先のキー入力画面と共に、図１０にｃで示した如く、実行の有無を選択するため、
“Ｙｅｓ／Ｎｏ”
の文字が表示される。このＹｅｓ、Ｎｏの選択指示が有効になるのは、ステップＳ７での送信先のページャー１Ｂが指定された後である。この送信先の指定後、カーソルキー１３４の操作で実行（Ｙｅｓ）が選択された場合には、一時送信バッファ２０２に格納されている送信データが出力される。この時、ページャー１Ａから出力される送信データは図１に示す受信基地局で受信され、公衆回線網２を介してセンター３に送信されるが、送信データは一度にすべて出力されるのではなく、先ず、自己の呼出番号データと送信相手先の呼出番号データとをセンター３で受信し、センター３が受信したこれらの呼出番号データに対応する加入者の有無を判別して、加入者が存在すれば、データの送信許可を送信基地局４を介してページャー１Ａに送信する。そして、この送信許可の受信を検出することにより、ページャー１Ａからページャー１Ｂに送信される（ステップＳ９及びＳ１０）。これに対して、カーソルキー１３４の操作で“Ｎｏ”（非実行）が選択された場合には、本送信処理がキャンセルされ終了する。
【００５６】
回答要求メッセージデータに対するページャー１Ｂより回答メッセージデータの着信があると、ページャー１Ａでは次の着信処理を実行する（図１１参照）。そこで、以下に着信処理について説明する。ページャー１Ａは、通常通り間欠受信によって常時自己宛メッセージデータからの着信を受け付けている（ステップＳ２１）。ページャー１Ｂから送信された送信データは、ページャー１Ａに取り込まれる。その際、着信したアドレスデータは、デコーダ部１８において、ＩＤ−ＲＯＭ１９に登録されたアドレスデータ等の情報との照合により、本ページャー１Ａ宛てか否か判定される。その結果、ステップＳ２２の判定により本ページャー１Ａ宛てであることが確認されると、受信データは一時受信バッファ２０２に格納される（ステップＳ２３）。
【００５７】
次に、制御部２０は、この受信バッファ２０１に格納された受信データからこのデータの送信元の名前データを検索する（ステップＳ２４）。そして、名前データが検出された場合には（ステップＳ２５）、回答要求メッセージデータに対する回答メッセージデータの着信と判断して、まずデータバンクメモリＤＢからその名前データに対応するＩＤ  Ｎｏ．が読み出される。
【００５８】
例えば、ページャー１Ｂからの回答メッセージデータを着信した場合は、受信バッファ２０２に格納されている受信データ（回答メッセージデータ）から送信元の名前データを検出して、この名前データに対応するＩＤ  Ｎｏ．をデータバンクメモリＤＢから検索する。そして、回答メッセージデータ中に名前データ“Ｂ．Ｂ”が含まれているから、この回答メッセージデータの送信元がページャー１Ｂの所有者Ｂ．Ｂであり、この名前データ“Ｂ．Ｂ”に基づき送信元ＩＤ  Ｎｏ．２が検出される。
【００５９】
さらに、この送信元ＩＤ  Ｎｏ．２と同じＩＤ  Ｎｏ．を送信データメモリＴＤの送信先ＩＤＮｏ．のメモリエリアから検索する（ステップＳ２６）。そして、この検索により送信先ＩＤＮｏ．があるとき、続いて回答要求フラグ（エリア６４）の状態を調べ、セット状態“１”となっていれば（ステップＳ２７）、これをリセット状態“０”にして当該回答要求メッセージデータを削除禁止から解除する処理が実行される（ステップＳ２８）。この削除禁止の解除によって、回答要求メッセージデータはいつでも削除できることになる。
【００６０】
そして、ステップＳ２９において、図１２にｄで示した如く、回答メッセージ
“了解しました。Ｂ．Ｂ”
のメッセージがＬＣＤ表示部１２に表示され、ページャー１Ａの所有者Ａ．Ａに報知される。
【００６１】
続いて、上述した回答メッセージデータはＲＭＳＧ１として、受信データメモリＲＤのエリア７２に格納され、エリア７３に送信元ＩＤＮｏ．（２）が格納される。そして、一度送信した回答要求メッセージデータに対する回答メッセージデータの着信を示すべく回答フラグが“１”にセットされる（ステップＳ３０）。通常のメッセージデータ受信の場合には、ステップＳ３０において回答フラグをセットせずに処理が終了する。
【００６２】
なお、ステップＳ２７において、回答要求フラグが既にリセットされていた場合にはステップＳ２８のリセット処理を飛ばしてステップＳ２９に移行する。また、ステップＳ２５において名前データが検出されなかった場合にも、この受信データは回答メッセージデータでないと判断され、処理はステップＳ２９に移行する。つまり、通常のメッセージデータを受信した場合は、図１３にｅで示した如く、“本社へ連絡して下さい。”等の通常メッセージがＬＣＤ表示部１２に表示され、このメッセージが回答メッセージのものでないことから、受信データメモリＲＤにおいて回答フラグは“０”状態が保持される。
【００６３】
この第１の実施の形態では、ページャー１の所有者が任意に送信メッセージもしくは受信メッセージを読み出してＬＣＤ表示部１２に表示させることが可能である。これは、所有者がＲＴＭＲモードキー１３２を押下することにより、読み出しモードとして実行されるものであり、図１４にそのフローが示されている。
【００６４】
前述の図８のフローにおいて、ステップＳ１１でＲＴＭＲモードキー１３２の押下により読み出したモードの選択を判断すると、読み出しモードに入って図１４のステップＳ４１の処理を実行する。すなわち、このステップＳ４１において、数件の送信メッセージデータ及び受信メッセージデータがデータメモリＲＴＤ（送信データメモリＴＤ及び受信データメモリＲＤ）から検索され、これらのデータに基づいて送信メッセージ及び受信メッセージが表示される。
【００６５】
この検索により、データメモリＲＴＤに格納されたメッセージデータに基づいて、図１５に示した如く、送信メッセージと受信メッセージとに分けてリスト表示が行われる。そして、このリスト表示では、カーソルキー１３４の上下を示す矢印部分を操作して、図１５にｆで示した如くカーソル位置を反転表示させながら所望のメッセージの閲覧を行うことができる。そのカーソル位置が、例えば、前述の回答要求の送信メッセージデータＴＭＳＧ１に基づく送信メッセージの位置を指していれば、図１５にｆで示した如く、
“今夜７時以降、時間を取りたい。Ａ．Ａ”
が反転表示される（ステップＳ４２及びＳ４３）。
【００６６】
このｆで示されるメッセージの位置は例えばカーソルキー１３４の右を示す矢印部分の操作（押下）が検知された場合、そのメッセージが抽出され、ＬＣＤ表示部１２にｆで示されるように、反転表示される。さらに、ＬＣＤ表示部１２には、メッセージと共に、図１６にｇで示した如く、削除の有無を“Ｙｅｓ”又は“Ｎｏ”で選択する画面が形成される（ステップＳ４４）。そして、カーソルキー１３４の左右を示す矢印部分の操作により“Ｙｅｓ”側にカーソル（反転表示）が移動して“Ｙｅｓ”が選択された場合には（ステップＳ４５）、処理はステップＳ４６に移行する。
【００６７】
このステップＳ４６では、ステップ４５で選択されたメッセージが送信データメモリＴＤに格納されている送信メッセージか否か判別され、送信メッセージであれば、次のステップＳ４７においてその送信メッセージが回答要求メッセージであり、回答要求フラグの状態より削除禁止状態か否かが判定される。その結果、図７に示した如く、回答要求メッセージ（送信メッセージデータＴＭＳＧ１）に対する回答メッセージ（受信メッセージデータＲＭＳＧ１）が着信済みであれば、前述の図１１のフローで説明したように、回答要求フラグは自動的にリセットされていることから、そのリセット“０”状態をみて削除禁止状態でないと判定され処理はステップＳ５１に移行する。
【００６８】
一方、回答メッセージが未着信であれば、回答要求メッセージデータＲＭＳＧ１は、回答要求フラグを“１”にセットしたままなので、これは削除禁止状態であると判定される。この削除禁止状態であるという判定結果が得られた場合には、この送信メッセージについて削除禁止状態であることが、図１７にｈで示した如く、
“削除禁止メッセージです！”
のメッセージを表示することにより報知される（ステップＳ４８）。
【００６９】
そして、再度ＬＣＤ表示部１２には、この削除禁止を示すメッセージと共に、図１７にｉで示した如く、削除強行実施の有無を“Ｙｅｓ”又は“Ｎｏ”で選択する画面が形成される。そして、カーソルキー１３４の左右を示す矢印部分の操作により“Ｙｅｓ”側にカーソル（反転表示）が移動して“Ｙｅｓ”が選択された場合には（ステップＳ４９）、削除強行実施のために処理はステップＳ５０及びＳ５１に移行し、そこで回答要求フラグのリセット及びこの回答要求フラグのリセットに伴う回答要求メッセージデータＴＭＳＧ１の削除が実行される。なお、既に回答要求フラグがリセットされている回答要求メッセージデータの場合には、処理はステップＳ４７より直接ステップＳ５１にジャンプして、メッセージデータを削除する。
【００７０】
このように、回答要求フラグがセットされた回答要求メッセージデータについては、通常通り削除を実行しようとしても、その回答要求メッセージデータが削除禁止状態であることがページャー１の所有者に報知される。この回答要求メッセージの削除をキャンセルしたい場合は、前述のステップＳ４９において“Ｎｏ”側が選択されることにより処理がステップＳ５２に移行する。このステップＳ５２では、図示せぬが、ＬＣＤ表示部１２に“終了”について“Ｙｅｓ”又は“Ｎｏ”を選択するための表示画面が形成され、その際、カーソルによって“Ｙｅｓ”が選択されると、本読み出しモードが終了して、処理は前述した図８のステップＳ１に戻る。また、ステップＳ５２カーソルによって“Ｎｏ”が選択されると、処理はステップＳ４２に戻って、リスト表示が再開される。
【００７１】
また、前述のステップＳ４９では、所有者の判断で送信メッセージを強行して削除することも可能であり、その場合には図１７にｉで示した表示画面で“Ｙｅｓ”が選択されることになる。ここで“Ｙｅｓ”が選択されるには、所有者が“削除禁止メッセージです！”（図１７にｈで示す）を確認してからの動作となる。例えば、既に回答要求メッセージデータに対応する回答メッセージデータを所有者自身が確認済みでなくても、この回答要求メッセージデータを所有者自身の意志で削除することができる。
【００７２】
このように、上述した第１の実施の形態によれば、回答要求メッセージデータを送信した場合にはこれに対する回答メッセージデータが受信されるまでは削除できないようにしたので、回答メッセージデータを受信していないにもかかわらず回答要求メッセージデータを誤って削除することはなく、これによって、回答要求メッセージデータの保護を強化し、データ通信の利用価値を向上させることが可能である。
【００７３】
また、削除禁止を示す回答要求フラグがセット状態の回答要求メッセージデータを削除する際に、一旦削除禁止を示すメッセージを表示することによって報知して、一回の削除指定だけでは削除できないようにしたので、誤って回答要求メッセージデータを削除せずに済み、これによって、回答要求メッセージデータ保護において安全性を向上させることが可能である。
【００７４】
（第２の実施の形態）
さて、上述した第１の実施の形態は、受信データが先に送信された回答要求メッセージデータに対応した回答メッセージデータであるという条件が整えば自動的に回答要求フラグをリセットして回答メッセージデータに基づいて内容を表示するようにしていたが、以下に説明する第２の実施の形態は、上記条件が整っても、ＬＥＤ１４の点滅等でメッセージ着信を報知した後、所有者からその報知を停止する操作が一定時間内に行われなければ、回答要求フラグをリセットせず、その回答メッセージデータが受信時に未確認であることを示すフラグ（以下に未確認フラグと称する）をセットして、読み出しモードで一旦回答メッセージデータを読み出して表示することにより、未確認フラグをリセットする。なお、以下の説明では、第１の実施の形態と同様の構成については図示及びその構成の説明を省略し、説明中は同様の符号を用いる。
【００７５】
図１８は第２の実施の形態において受信データメモリＲＤＤの一メモリ構成を示す図である。第２の実施の形態による受信データメモリＲＤＤには、さらに未確認フラグを設定するエリア７５が設けられている。そして、図１９は第２の実施の形態によるページャーの着信処理を説明するフローチャートである。
【００７６】
前述の図１１と同様に、回答要求メッセージデータに対するページャー１Ｂからの回答メッセージデータを受信すると、ページャー１Ａでは次の着信処理を実行する。ページャー１Ａは、通常通り間欠受信によってセンター３からの着信を受け付けている（ステップＳ６１）。ページャー１Ｂから送信された送信データは、ページャー１Ａに取り込まれる。その際、着信したアドレスデータは、デコーダ部１８において、ＩＤ−ＲＯＭ１９に登録されたアドレスデータ等の情報との照合により、本ページャー１Ａ宛てか否か判定される。その結果、ステップＳ８の判定により本ページャー１Ａ宛てであることが確認されると、受信データは一時受信バッファ２０２に格納される（ステップＳ６２及びＳ６３）。
【００７７】
次に、制御部２０は、この受信バッファ２０２に格納された受信データからこのデータの送信元の名前データを検索する（ステップＳ６４）。そして、名前データが検出された場合には（ステップＳ６５）、回答要求メッセージデータに対する回答メッセージデータの着信と判断して、まずデータバンクメモリＤＢからこの名前データに対応するＩＤ  Ｎｏ．が読み出される。このＩＤ  Ｎｏ．は送信元ＩＤＮｏ．となる。
【００７８】
具体的には、受信バッファ２０２に格納されている回答メッセージに対応する回答メッセージデータから送信元の名前データを検出して、対応するＩＤ  Ｎｏ．をデータバンクメモリＤＢから検索する。この場合には、送信元がページャー１Ｂの所有者Ｂ．Ｂであることから、名前データは“Ｂ．Ｂ”（表示内容）となる。この名前データ“Ｂ．Ｂ”に基づき送信元ＩＤ  Ｎｏ．２が検出される。
【００７９】
さらに、この送信元ＩＤ  Ｎｏ．（２）と同じＩＤ  Ｎｏ．を送信データメモリＴＤの送信先ＩＤＮｏ．のメモリエリアから検索する（ステップＳ６６）。そして、この検索により、送信先ＩＤＮｏ．があるとき、続いて回答要求フラグ（エリア６４）の状態を調べ、セット状態“１”となっていれば（ステップＳ６７）、次にメッセージ着信を報知するため、図示せぬが制御部２０に具備されたタイマを起動させ、一定時間の測定を開始して、その一定時間中に、報知手段として例えばＬＥＤ１４を点滅させ、その報知をリセットする指示が所有者より操作されたか否かを検知する処理が実行される（ステップＳ６８，Ｓ６９，Ｓ７０及びＳ７４）。
【００８０】
そして、報知をリセットする指示が検知されると、報知動作が停止するとともに回答要求フラグがリセットされ（ステップＳ７０及びＳ７１）、削除禁止から開放される。この削除禁止の開放によって、回答要求メッセージデータはいつでも削除できることになる。
【００８１】
そして、ステップＳ７２において、図１２にｄで示した如く、回答メッセージ
“了解しました。Ｂ．Ｂ”
のメッセージがＬＣＤ表示部１２に表示され、ページャー１Ａの所有者Ａ．Ａに報知される。
【００８２】
続いて、上述した回答メッセージデータはＲＭＳＧ１として、受信データメモリＲＤＤの各エリア７２に格納され、エリア７３に送信元ＩＤＮｏ．（２）が格納される。そして、一度送信した回答要求メッセージデータに対する回答メッセージデータの着信を示すべく回答フラグ（エリア７４）が“１”にセットされる（ステップＳ７３）。
【００８３】
また、ステップＳ７４において一定時間の経過からタイムアップが検知されると、回答要求フラグをセット状態“１”に保持したまま報知動作を停止させ、表示されていたメッセージは消去する。又、受信されたメッセージデータは受信データメモリＲＤＤに格納されるとともに、これに対応する未確認フラグがエリア７５に“１”にセットされ（図１８参照）、処理はステップＳ７３に移行する。
【００８４】
この第２の実施の形態では、回答メッセージデータではない通常のメッセージデータや回答要求フラグがリセット済みの回答要求メッセージデータに対応する回答メッセージデータの着信時についても（ステップＳ６５又はＳ６７）、タイマを起動させ（ステップＳ７６）、メッセージの着信を報知して、その報知のリセット又はタイムアップを検知する処理が実行される（ステップＳ７７，Ｓ７８及びＳ８０）。この場合にも、報知をリセットする指示が検知されると（ステップＳ７８）、報知動作を停止させ（ステップＳ７９）、メッセージをＬＣＤ表示部１２に表示させ、また、一定時間の経過からタイムアップが検知されると（ステップＳ８０）、受信データメモリＲＤＤにおいて受信したメッセージデータに対応する未確認フラグがエリア７５に“１”にセットされ処理はステップＳ７３に移行する。
【００８５】
次に、第２の実施の形態における読み出しモードについて説明する。図２０は第２の実施の形態によるページャー側の読み出し及び削除処理の要部を説明するフローチャートである。
【００８６】
この第２の実施の形態でも、読み出しモード全体の処理については、前述した図１４のフローチャートに従って実行されるが、送受信メッセージのリスト表示（ステップＳ４２及びＳ４３）の際に、図２０に示した如く、ステップＳ９１〜Ｓ９４までの処理が追加される。
【００８７】
まず、ステップＳ９１において、現在リスト表示されている送受信メッセージの内、受信メッセージについて、受信データメモリＲＤＤから未確認フラグをセットされているものが検索される。例えば、図１８の例では、回答メッセージデータ（ＲＭＳＧ１）の未確認フラグ（エリア７５）が“１”にセットされており、これはページャー１Ｂから送信された回答メッセージデータの着信を着信時点では確認されていないことを示す。
【００８８】
そこで、このリスト表示により上記未確認の回答メッセージが確認されると、次のステップＳ９３においてこの回答メッセージデータに対応する未確認フラグが“０”にリセットされ、続くステップＳ９４において回答メッセージデータＲＭＳＧ１に対応する回答要求メッセージデータ（ＴＭＳＧ１）の回答要求フラグが送信データメモリＴＤから検索される。これは、回答メッセージデータの送信元ＩＤ  Ｎｏ．データに対応する送信先ＩＤ  Ｎｏ．データを送信データメモリＴＤから検索することで取得できる。そして検索した結果、送信先ＩＤ  Ｎｏ．データに対応する回答要求フラグがリセットされ、これにより回答要求メッセージデータ（ＴＭＳＧ１）は削除禁止から解除され削除可能になる。
【００８９】
このように、第２の実施の形態によれば、回答要求メッセージデータを送信した場合にはこれに対する回答メッセージデータが受信され、これを確認、又は読み出されるまでは削除できないようにしたので、着信確認又は読み出してないにもかかわらず回答要求メッセージデータを誤って削除することはなく、これによって、回答要求メッセージデータの保護を強化し、データ通信の利用価値を向上させることが可能である。
【００９０】
また、この第２の実施の形態においても、削除禁止を示す回答要求フラグがセット状態の回答要求メッセージデータを削除する際に一旦削除禁止を示すメッセージを表示によって報知して、一回の削除指定だけでは削除できないようにしたので、誤って削除を指定しても削除禁止対象の回答要求メッセージデータを削除せずに済み、これによって、回答要求メッセージデータの保護において安全性を向上させることが可能である。
【００９１】
さて、この読み出しモードでは、削除禁止となっている回答要求メッセージをステップＳ４８（図１４参照）において表示させる場合、図１７にｈで示した“削除禁止メッセージです！”に替わって、図示せぬが、
“未確認メッセージです！”
のメッセージを表示して、単なる削除禁止とは違って回答を要求したメッセージであることを強調することができる。
【００９２】
尚、本実施の形態では無線送信機能を備えたページャーについて書き記したが、これに限定されることなく、ＭＣＡ、セルラーフォン等、無線によるデータ通信システムならば適用可能であることは言うまでもないことである。又、本発明は電子メールシステム等にも有効である。
【００９３】
【発明の効果】
以上詳細に説明したように、本発明は、削除を禁止する情報が設定されている回答要求メッセ−ジを削除する際に、一旦削除禁止を示すメッセージを表示することにより報知して、一回の削除指定だけでは削除を行うことができない。こうすることにより、誤って回答要求メッセージを削除することがなく、回答要求メッセージの保護において安全性を向上させることができる。
【図面の簡単な説明】
【図１】本発明に係るデータ通信システムの一実施の形態を示す構成図である。
【図２】図１に示したページャーの外観形状の一例を示す上面図である。
【図３】図２に示したページャーの内部構成の一例を示すブロック図である。
【図４】図２に示したＲＡＭの主要な一メモリ構成を示す図である。
【図５】第１の実施の形態において図４に示したＲＡＭに割り当てられたデータバンクメモリの一メモリ構成を示す図である。
【図６】第１の実施の形態において図４に示したＲＡＭに割り当てられた送信データメモリの一メモリ構成を示す図である。
【図７】第１の実施の形態において図４に示したＲＡＭに割り当てられた受信データメモリの一メモリ構成を示す図である。
【図８】第１の実施の形態によるページャーの送信処理を説明するフローチャートである。
【図９】図８に示したフローに従う送信処理時の一表示例を示す図である。
【図１０】図８に示したフローに従う送信処理時の他の表示例を示す図である。
【図１１】第１の実施の形態によるページャーの着信処理を説明するフローチャートである。
【図１２】図１１に示したフローに従う着信処理時の一表示例を示す図である。
【図１３】図１１に示したフローに従う受信処理時の他の表示例を示す図である。
【図１４】第１の実施の形態によるページャー側の読み出し及び削除処理を説明するフローチャートである。
【図１５】図１４に示したフローに従う読み出し及び削除処理時の一表示例を示す図である。
【図１６】図１４に示したフローに従う読み出し及び削除処理時の他の表示例を示す図である。
【図１７】図１４に示したフローに従う読み出し及び削除処理時の他の表示例を示す図である。
【図１８】第２の実施の形態において受信データメモリの一メモリ構成を示す図である。
【図１９】第２の実施の形態によるページャーの受信処理を説明するフローチャートである。
【図２０】第２の実施の形態によるページャー側の読み出し及び削除処理の要部を説明するフローチャートである。
【符号の説明】
１，１Ａ，１Ｂ        ページャー
２                    公衆回線網
３                    センター
４                    送信基地局
５                    受信基地局
６                    公衆電話
１１                  本体
１２                  ＬＣＤ表示部
１４                  ＬＥＤ
１５                  アンテナ
１６                  送受信切換スイッチ
１７                  ＲＦ受信部
１８                  デコーダ部
１９                  ＩＤ−ＲＯＭ
２０                  制御部
２１                  エンコーダ部
２２                  送信部
２３                  ＲＯＭ
２４                  ＩＤ番号検出部
２５                  ＲＡＭ
２６                  表示バッファ
１３１                液晶キーボード
１３２                ＲＴＭＲモードキー
１３３                ＴＭモードキー
１３４                カーソルキー
１３５                電源投入スイッチ
１３６                入力ペン
２０１                受信バッファ
２０２                送信バッファ
２０３                フラグ設定回路
ＤＢ                  データバンクメモリ
ＲＤ                  受信データメモリ
ＴＤ                  送信データメモリ
【図１】
0003858380.tif 000002
【図２】
0003858380.tif 000003
【図３】
0003858380.tif 000004
【図４】
0003858380.tif 000005
【図５】
0003858380.tif 000006
【図６】
0003858380.tif 000007
【図７】
0003858380.tif 000008
【図８】
0003858380.tif 000009
【図９】
0003858380.tif 000010
【図１０】
0003858380.tif 000011
【図１１】
0003858380.tif 000012
【図１２】
0003858380.tif 000013
【図１３】
0003858380.tif 000014
【図１４】
0003858380.tif 000015
【図１５】
0003858380.tif 000016
【図１６】
0003858380.tif 000017
【図１７】
0003858380.tif 000018
【図１８】
0003858380.tif 000019
【図１９】
0003858380.tif 000020
【図２０】
0003858380.tif 000021